(57)【要約】【課題】雨天時であっても施肥器に水が浸入し難い田植機を提供する。【解決手段】圃場を走行する走行部１と、該走行部１の後側に連結してあり、苗を植え付ける植付部３０と、前記走行部１上に配置してあり、肥料を供給する施肥器２１と、前記走行部１の上方に配置された屋根５３とを備える田植機において、前記屋根５３の後端部は前記施肥器２１よりも後側に位置するようにしてあり、前記屋根５３の後端部に、前記施肥器２１の後側を覆うカバー６０を着脱可能に設けてあるか又は前記施肥器２１の後側を覆う上下に伸縮可能なカバー６０を設けてあることを特徴とする。【選択図】図１
2015084760.tif 000002
【特許請求の範囲】
【請求項１】
圃場を走行する走行部と、該走行部の後側に連結してあり、苗を植え付ける植付部と、前記走行部上に配置してあり、肥料を供給する施肥器と、前記走行部の上方に配置された屋根とを備える田植機において、
前記屋根の後端部は前記施肥器よりも後側に位置するようにしてあり、
前記屋根の後端部に、前記施肥器の後側を覆うカバーを着脱可能に設けてあるか又は前記施肥器の後側を覆う上下に伸縮可能なカバーを設けてあること
を特徴とする田植機。
【請求項２】
前記屋根を支持する支柱を前記走行部に立設してあり、
前記支柱は前記走行部又は屋根に、前記支柱の軸長方向に交差する軸回りに回動可能に連結していること
を特徴とする請求項１に記載の田植機。
【請求項３】
前記支柱が上下方向に伸縮可能に構成されていること
を特徴とする請求項２に記載の田植機。
【請求項４】
前記屋根が前後方向に伸縮可能に構成されていること
を特徴とする請求項１から３のいずれか一つに記載の田植機。
【請求項５】
前記屋根の右側又は左側に前後方向に伸縮可能な側面カバーが設けてあること
を特徴とする請求項１から４のいずれか一つに記載の田植機。
【請求項６】
前記走行部の前部に透光性を有する正面カバーが設けてあること
を特徴とする請求項１から５のいずれか一つに記載の田植機。
【発明の詳細な説明】
【技術分野】
【０００１】
本発明は圃場に苗を植え付け、施肥を行う田植機に関する。
【背景技術】
【０００２】
田植機は、走行機体と、該走行機体の後部に連結してあり、苗を植え付ける植付部とを備え、圃場を前方に移動しながら植付部の駆動によって苗を順に植え付ける。近年では、走行機体の後部に施肥器を設置してあり、該施肥器に肥料を投入して、苗の植え付けと共に施肥を行う田植機も提案されている（例えば特許文献１参照）。
【先行技術文献】
【特許文献】
【０００３】
【特許文献１】特開２０１３−６６４９３号公報
【発明の概要】
【発明が解決しようとする課題】
【０００４】
苗の植え付け開始前又は植え付け開始後、施肥器内の肥料が少なくなった場合に、施肥器の蓋が取り外され、肥料が投入される。雨天時においては、水も施肥器に入る。肥料の形状としては粒状が挙げられるが、肥料が水を吸収した場合、肥料は接着し易くなる。そのため肥料は施肥器内で塊になり、施肥器内にて詰まる虞がある。
【０００５】
本発明は斯かる事情に鑑みてなされたものであり、雨天時であっても施肥器に水が浸入し難い田植機を提供することを目的とする。
【課題を解決するための手段】
【０００６】
本発明に係る田植機は、圃場を走行する走行部と、該走行部の後側に連結してあり、苗を植え付ける植付部と、前記走行部上に配置してあり、肥料を供給する施肥器と、前記走行部の上方に配置された屋根とを備える田植機において、前記屋根の後端部は前記施肥器よりも後側に位置するようにしてあり、前記屋根の後端部に、前記施肥器の後側を覆うカバーを着脱可能に設けてあるか又は前記施肥器の後側を覆う上下に伸縮可能なカバーを設けてあることを特徴とする。
【０００７】
本発明においては、屋根が施肥器よりも後方に延びており、また施肥器の後側をカバーで覆うことで、雨天時に施肥器に肥料を補給する場合、上方及び後方からの雨水の侵入を防ぐ。また不要な場合には、カバーを縮めるか又は取り外して、後方の視認性を良好にする。
【０００８】
本発明に係る田植機は、前記屋根を支持する支柱を前記走行部に立設してあり、前記支柱は前記走行部又は屋根に、前記支柱の軸長方向に交差する軸回りに回動可能に連結していることを特徴とする。
【０００９】
本発明においては、支柱と走行部又は屋根との連結部分を回動させることで、屋根の前後・左右位置又は水平面に対する屋根の傾斜角度を調整することができる。
【００１０】
本発明に係る田植機は、前記支柱が上下方向に伸縮可能に構成されていることを特徴とする。
【００１１】
本発明においては、支柱が上下に伸縮することで、納屋に収納する際には、屋根の位置を下げることができ、作業を行う場合には、屋根を上げて操作者が作業する空間を確保することができる。
【００１２】
本発明に係る田植機は、前記屋根が前後方向に伸縮可能に構成されていることを特徴とする。
【００１３】
本発明においては、屋根に伸縮可能な構成（例えばロールスクリーン）を適用し、必要に応じて屋根を伸ばし、不要な場合に縮めることができる。屋根の取り付け角度・位置を左右で異ならせることで、屋根を傾斜させ、屋根に付着した雨水を流し、屋根に雨水が貯留することを防ぐことができる。
【００１４】
本発明に係る田植機は、前記屋根の右側又は左側に前後方向に伸縮可能な側面カバーが設けてあることを特徴とする。
【００１５】
本発明においては、屋根の左右に、たとえばカーテンを設けて、走行機体の左右側面を覆い、施肥器への雨水の侵入をより確実に防ぐことができる。
【００１６】
本発明に係る田植機は、前記走行部の前部に透光性を有する正面カバーが設けてあることを特徴とする。
【００１７】
本発明においては、走行部の前部に透光性を有するカバーを設け、施肥器への雨水の侵入をより確実に防ぐことができる。また左右の側面カバーも設けることによって、屋根、カバー、側面カバー及び正面カバーによってキャビンを形成し、更にエアコンディショナーを設置することによって、夏季及び冬季であっても、操作者にとって快適な環境を作り出すことができる。
【発明の効果】
【００１８】
本発明に係る田植機は、屋根が施肥器よりも後方に延びており、また施肥器の後側をカバーで覆うことで、雨天時に施肥器に肥料を補給する場合、上方及び後方からの雨水の侵入を防ぐことができる。また不要な場合には、カバーを縮めるか又は取り外して、後方の視認性を良好にすることができる。
【図面の簡単な説明】
【００１９】
【図１】実施の形態１に係る田植機を略示する左側面図である。
【図２】実施の形態２に係る田植機を略示する左側面図である。
【図３】実施の形態３に係る田植機を略示する左側面図である。
【図４】リンク機構を略示する斜視図である。
【図５】実施の形態４に係る田植機を略示する左側面図である。
【図６】実施の形態５に係る田植機を略示する左側面図である。
【図７】実施の形態６に係る田植機を略示する左側面図である。
【図８】実施の形態７に係る田植機を略示する左側面図である。
【発明を実施するための形態】
【００２０】
（実施の形態１）
以下本発明を実施の形態１に係る田植機を示す図面に基づいて説明する。図１は田植機を略示する左側面図である。以下の説明では図１において矢印で示す上下及び前後を使用し、また図１の表側を左側とし、裏側を右側とする。
【００２１】
田植機は、例えば、８条植えの乗用田植機であり、左右一対の前輪３、３及び後輪４、４にて支持された走行機体１を備えている。この走行機体１の後方には昇降リンク機構９を介して植付部３０が装着されている。昇降リンク機構９は、昇降用油圧シリンダを備えており（図示略）、昇降用油圧シリンダ駆動部（図示略）が昇降用油圧シリンダを駆動することによって植付部３０を昇降させるように構成されている。
【００２２】
走行機体１は車体フレーム２を備えており、車体フレーム２の前部上方にはエンジン６が搭載されている。エンジン６の動力は変速ミッション８を介して後輪４、４に伝達され、走行機体１が走行する。エンジン６はボンネット５により覆われている。ボンネット５の左右両側には予備苗載台２０、２０が配設されており、ボンネット５後部のダッシュボード１１上には操向ハンドル１４が配設されている。また、変速ミッション８は車体カバー７により覆われており、車体カバー７の上部には座席１３が配設されており、更にその後方には施肥器２１が配設されている。
【００２３】
施肥器２１は、上部に開口を有し、該開口から肥料が投入されるホッパ２１ａと、該ホッパ２１ａの下部に設けてあり、肥料を所定量ずつ繰り出す繰出部２１ｂと、ホッパ２１ａの開口を塞ぐ蓋２１ｃとを備える。なお繰出部２１ｂには、繰出された肥料を下方に案内する案内ホース（図示略）が接続してある。繰出部２１ｂには、伝動機構（図示略）を介してエンジン６の動力が伝達する。繰出部２１ｂはエンジン６の動力によって駆動し、肥料を繰り出す。ホッパ２１ａ及び繰出部２１ｂは、田植機の条数分だけ用意されている。操作者は蓋２１ｃを開けてホッパ２１ａに肥料を補給する。
【００２４】
走行機体１の後部に連結している植付部３０は、苗載台３１、植付伝動ケース３２、サイドフロート３３、３３、センターフロート３４、ロータリーケース３５等を備えている。苗載台３１はマット状の苗を載置するための載置台であり、走行機体１に対して前高後低に配設され、下ガイドレール及び上ガイドレールによって左右方向に摺動自在に支持されている。また、植付部３０は、当該植付部３０から前方に突出したローリング軸４１を昇降リンク機構９の後端におけるヒッチ部材に取付けた軸受けにて回転自在に軸支することにより、走行機体１に対してローリング軸４１を中心としてローリング自在に装着され、更に、この植付部３０とヒッチ部材との間には、植付部３０を走行機体１に対してローリング駆動させるためのローリング用油圧シリンダ４２が設けられている。
【００２５】
植付伝動ケース３２は、昇降リンク機構９の後端から後方へ突出するように連結されている。植付伝動ケース３２の下方にはリンク機構を介してサイドフロート３３、３３及びセンターフロート３４が回動自在に支持されており、フロート用油圧シリンダ（図示略）により圃場面に対する各フロート３３、３３、３４の傾きを変更できるように構成されている。
【００２６】
また、植付伝動ケース３２の後方には植付爪３６、３６を備えるロータリーケース３５が回転自在に支持されている。このロータリーケース３５は搭載される田植機の条数分だけ用意されるため、８条植えの田植機には８組みのロータリーケース３５が用意される。
【００２７】
このような構成の乗用田植機では、エンジン６の動力による前進走行とともに苗載台３１を左右方向に摺動させ、それぞれの条において、ロータリーケース３５を回転駆動させることにより植付爪３６、３６で一株分の苗を切り出し、植付作業を連続的に行うことができる。また繰出部２１ｂの駆動によって、それぞれの条に対し肥料が供給される。
【００２８】
車体フレーム２の予備苗載台２０、２０付近に、屋根５３を支持する二つの支柱５０、５０それぞれが左右に立設している。支柱５０は上下に伸縮可能なチルト機構を有する。チルト機構は上側筒体５１及び下側筒体５２を備えており、上側筒体５１が下側筒体５２に、軸長方向に移動可能に挿入してある。上側筒体５１の側面には複数の貫通孔（図示略）が軸長方向に沿って並設してあり、下側筒体５２の側面に前記貫通孔に対応し、係止ピン（図示略）が挿入される挿入孔（図示略）が設けてある。上側筒体５１及び下側筒体５２は上下方向を軸長方向とし、下側筒体５２は車体フレーム２に連結し、上側筒体５１は屋根５３に連結している。操作者は、上側筒体５１を所望の高さに位置させて、挿入孔及び貫通孔に係止ピンを挿入し、上側筒体５１を係止ピンに係止させて、支柱５０を所望の高さに設定することができる。
【００２９】
下側筒体５２の下端部は、左右方向を軸長方向とした枢軸５０ａを介して前後方向に回動可能に車体フレーム２に連結している。そのため操作者は水平面に対する支柱５０の角度を所望の角度に設定することができる。
【００３０】
上側筒体５１の上端部は、左右方向を軸長方向とした枢軸５０ｂを介して屋根５３の前部に連結している。操作者は屋根５３を枢軸５０ｂを回転軸として所望の位置まで回動させ、屋根５３の位置を設定することができる。屋根５３は後方に延びており、屋根５３の後端部は施肥器２１よりも後側に位置する。
【００３１】
屋根５３の後端部には、ブラインドカーテン６０が取り外し可能に設けてある。例えば屋根５３の後端部に後方に突出した突出部を設け、ブラインドカーテン６０の上端部に孔を設けて、前記孔に前記突出部を係止させて、屋根５３の後端部にブラインドカーテン６０が取り外し可能に設けてある。なお取り外し可能な構成は上記構成に限定されず、ブラインドカーテン６０を屋根５３の後端部にねじ止めしてもよい。
【００３２】
ブラインドカーテン６０は、左右に長い複数のスラット６１、６１、・・・、６１と、該スラット６１を上下に並べた状態で連結した連結コード６２とを備える。またブラインドカーテン６０は、連結コード６２を昇降させる昇降コード６３と、水平面に対するスラット６１の傾斜角度を調整する角度調整ハンドル６４と、前記昇降コード６３の下端部に設けてあり、施肥器２１に係止する係止部６５とを備える。
【００３３】
昇降コード６３は輪状をなす。操作者が昇降コード６３を周方向に沿って一方向に引っ張った場合、連結コード６２は下降し、重畳した複数のスラット６１が下側から順に下降して、ブラインドカーテン６０は施肥器２１の後側を覆う。操作者が昇降コード６３を周方向に沿って他方向に引っ張った場合、連結コード６２は上昇し、複数のスラット６１が下側から順に上昇し、座席１３の後方が開放される。
【００３４】
角度調整ハンドル６４は軸回りに回転可能な円柱状をなす。操作者が角度調整ハンドル６４を一方向に回転させた場合、スラット６１は左右方向を回転軸方向として一方向に回動する。操作者が角度調整ハンドル６４を他方向に回転させた場合、スラット６１は左右方向を回転軸方向として他方向に回動する。角度調整ハンドル６４を回転させることによって、操作者は水平面に対するスラット６１の傾斜角度を調整することができる。換言すれば、角度調整ハンドル６４を回転させることによって、操作者はスラット６１の開度を調整することができる。
【００３５】
実施の形態１に係る田植機にあっては、屋根５３が施肥器２１よりも後方に延びており、また施肥器２１の後側をブラインドカーテン６０で覆うことで、雨天時に施肥器２１に肥料を補給する場合に、上方及び後方からの雨水の侵入を防ぐことができる。また不要な場合には、ブラインドカーテン６０を上昇させる（縮める）か又は取り外して、運転席１３の後方の視認性を良好にすることができる。
【００３６】
また支柱５０と車体フレーム２又は屋根５３との連結部分を回動させることで、屋根５３の前後・左右位置又は水平面に対する屋根５３の傾斜角度を調整することができる。屋根５３の傾斜角度を調整することで、雨天時に屋根５３に付着した雨水を円滑に流下させることができる。
【００３７】
支柱５０が上下に伸縮することで、操作者が田植機を納屋に収納する際に、屋根５３の位置を下げることができる。一方操作者が施肥器２１への肥料補給等の作業を行う場合には、屋根５３を上げて作業空間を確保することができる。
【００３８】
なおブラインドカーテン６０に駆動源を設けて、ブラインドカーテン６０を自動的に上昇又は下降させるか又はスラット６１の開度を調整してもよい。また支柱５０又は屋根５３に駆動源を設けて、屋根５３の前後・左右位置又は水平面に対する屋根５３の傾斜角度を自動的に調整してもよく、支柱５０の伸縮を自動的に行ってもよい。また支柱５０は上下に伸縮しない構成であってもよい。
【００３９】
（実施の形態２）
以下本発明を実施の形態２に係る田植機を示す図面に基づいて説明する。図２は田植機を略示する左側面図である。以下の説明では図２において矢印で示す上下及び前後を使用し、また図２の表側を左側とし、裏側を右側とする。
【００４０】
屋根５３の後端部には、ロールカーテン７０が取り外し可能に設けてある。例えば屋根５３の後端部にロールカーテン７０をねじ止めしてある。なお取り外し可能な構成は上記構成に限定されない。
【００４１】
ロールカーテン７０は、屋根５３の後端部における左右部分それぞれから垂下した二つの支持部７１と、該二つの支持部７１の間に回転可能に掛架されたローラパイプ７２と、該ローラパイプ７２に巻回してあるスクリーン７３とを備える。ローラパイプ７２は、左右方向を回転軸方向としている。スクリーン７３はローラパイプ７２の回転によってローラパイプ７２から下方に引き出されて下降するか又はローラパイプ７２に巻回されて上昇する。換言すれば、スクリーン７３は下方に伸長するか又は上方に短縮する。
【００４２】
またロールカーテン７０は、ローラパイプ７２を回転させてスクリーン７３を昇降させる昇降チェーン７４を備える。昇降チェーン７４は輪状をなす。操作者が昇降チェーン７４を周方向に沿って一方向に引っ張った場合、スクリーン７３は下降し、ロールカーテン７０は施肥器２１の後側を覆う。操作者が昇降チェーン７４を周方向に沿って他方向に引っ張った場合、スクリーン７３は上昇し、座席１３の後方が開放される。
【００４３】
実施の形態２に係る田植機は、実施の形態１と同様な作用効果を奏する。実施の形態２に係る構成の内、実施の形態１と同様な構成については同じ符号を付し、その詳細な説明を省略する。
【００４４】
（実施の形態３）
以下本発明を実施の形態３に係る田植機を示す図面に基づいて説明する。図３は田植機を略示する左側面図、図４はリンク機構８０を略示する斜視図である。以下の説明では図３及び４において矢印で示す上下左右前後を使用する。なお図３の表側を左側とし、裏側を右側とする。また図４において、リンク機構８０を示すべく、便宜上、スクリーン９２及び取手９３を透過させて示している。
【００４５】
屋根５３はリンク機構８０を備える。リンク機構８０は、左右の上側筒体５１、５１それぞれの中途部に設けてあり、軸回りに回転可能な回転スリーブ８１、８１と、該回転スリーブ８１、８１それぞれから突出したアーム８２、８２と、連結棒８３、８３を介して前記アーム８２、８２に連結しており、左右に延びたフック棒８４とを備える。フック棒８４の上部にフック８４ａが設けてある。
【００４６】
アーム８２、８２の突出端部には、連結棒８３、８３の一端部を挿入する挿入溝８２ａ、８２ａが形成してある。フック棒８４の左右端部それぞれに、連結棒８３の他端部を挿入する挿入溝８４ａ、８４ａが形成してある。
【００４７】
連結棒８３の一端部は挿入溝８２ａに挿入してあり、上下方向を回転軸方向とした枢軸８５を介してアーム８２に回転可能に連結している。連結棒８３の他端部は挿入溝８４ａに挿入してあり、上下方向を回転軸方向とした枢軸８６を介してフック棒８４に回転可能に連結している。
【００４８】
フック棒８４を前側に移動させた場合、アーム８２及び連結棒８３は左右方向内向きに折り畳まれる。一方フック棒８４を後側に移動させた場合、アーム８２及び連結棒８３は左右方向外向きに展開する。すなわち、フック棒８４の前後移動によって、リンク機構８０は前後に伸縮する。
【００４９】
上側筒体５１、５１の互いに対向する側面それぞれに、ロールスクリーン９０を取り付けるためのアタッチメント５４を固定する固定面５１ａ、５１ａが設けてある。ロールスクリーン９０はアタッチメント５４、５４を介して上側筒体５１、５１の間に支持されている。
【００５０】
ロールスクリーン９０は、左右方向を回転軸方向として回転可能なローラパイプ９１と、該ローラパイプ９１に巻回してあるスクリーン９２と、該スクリーン９２の端部に設けてある取手９３とを備える。ローラパイプ９１の左右端部それぞれはアタッチメント５４、５４に回転可能に連結してある。取手９３は、フック棒８４のフック８４ａに係止している。
【００５１】
ローラパイプ９１には、一方向に回転させるようにローラパイプ９１を付勢する弾性部材（図示略）が取り付けてある。スクリーン９２は、弾性部材の付勢力に抗してローラパイプ９１を他方向に回転させることによって後方に引き出される。一方、引き出したスクリーン９２は弾性部材の弾性復元力によって後方に移動し、ローラパイプ９１に巻回される。
【００５２】
スクリーン９２の端部に位置する取手９３をフック棒８４のフック８４ａに係止することによって、スクリーン９２はリンク機構８０の前後方向への伸縮に従って、前後方向に伸縮する。すなわち屋根５３は前後に伸縮する。
【００５３】
またホッパ２１ａの後側面にフック２１ｄが設けてある。取手９３をフック８４ａから取外し、下方にスクリーン９２を引っ張って、フック２１ｄに係止させることができる。取手９３をフック２１ｄに係止させることによって、ロールスクリーン９０は施肥器２１の後側面を覆う。
【００５４】
実施の形態３に係る田植機は、屋根に伸縮可能なロールスクリーン９０を適用し、必要に応じて屋根を伸ばし、また施肥器２１の後側をロールスクリーン９０で覆うことで、雨天時に施肥器２１に肥料を補給する場合に、上方及び後方からの雨水の侵入を防ぐことができる。また不要な場合にロールスクリーン９０を縮め、運転席１３の後方の視認性を良好にすることができる。
【００５５】
なお二つの回転スリーブ８１、８１の上下位置を異ならせて、ロールスクリーン９０の取り付け角度・上下位置を左右で異ならせてもよい。この場合、スクリーン９２を傾斜させて、スクリーン９２に付着した雨水を流し、スクリーン９２に雨水が貯留することを防ぐことができる。また回転スリーブ８１にモータ等の駆動源を取り付けて、自動的にリンク機構８０及びロールスクリーン９０を伸縮させてもよい。またロールスクリーン９０にも駆動源を設けて、リンク機構８０からスクリーン９２を自動的に下降させるか又はリンク機構８０に向けて上昇させてもよい。
【００５６】
実施の形態３に係る田植機の構成の内、実施の形態１又は２と同様な構成については、同じ符号を付し、その詳細な説明を省略する。
【００５７】
（実施の形態４）
以下本発明を実施の形態４に係る田植機を示す図面に基づいて説明する。図５は田植機を略示する左側面図である。以下の説明では図５において矢印で示す上下及び前後を使用し、また図５の表側を左側とし、裏側を右側とする。
【００５８】
屋根５３は、左右の支柱５０それぞれの上端部から後方に突出したレール５３ａと、該レール５３ａに前後方向に伸縮可能に支持されたアコーディオン式のスクリーン５３ｂとを備える。レール５３ａは施肥器２１よりも後方に延びている。
【００５９】
スクリーン５３ｂの前端部はレール５３ａの前端部に固定されており、スクリーン５３ｂの他部はレール５３ａに沿って前後方向に移動することができる。操作者がスクリーン５３ｂの後端部を後方に引っ張った場合、スクリーン５３ｂは後方に延び、操作者は施肥器２１よりも後方まで伸ばすことができる。一方操作者がスクリーン５３ｂの後端部を前方に引っ張った場合、スクリーン５３ｂは折り畳まれながら、前方に縮む。すなわち、屋根５３は前後に伸縮する。またレール５３ａの後端部に着脱可能にブラインドカーテン６０が設けてある。
【００６０】
実施の形態４に係る田植機にあっては、スクリーン５３ｂを施肥器２１よりも後方まで延ばすことができ、雨天時に施肥器２１に肥料を補給する場合に、上方からの雨水の侵入を防ぐことができる。また不要な場合にはスクリーン５３ｂを縮めて、上方に空間を確保し、走行機体１上における操作者の作業を行い易くすることができる。また不要な場合には、ブラインドカーテン６０を上昇させる（縮める）か又は取り外して、運転席１３の後方の視認性を良好にすることができる。
【００６１】
実施の形態４に係る田植機の構成の内、実施の形態１〜３と同様な構成については、同じ符号を付し、その詳細な説明を省略する。
【００６２】
（実施の形態５）
以下本発明を実施の形態５に係る田植機を示す図面に基づいて説明する。図６は田植機を略示する左側面図である。以下の説明では図６において矢印で示す上下及び前後を使用し、また図６の表側を左側とし、裏側を右側とする。
【００６３】
屋根５３は、左右の支柱５０それぞれの上端部から後方に突出したレール５３ａと、該レール５３ａに複数の摺動子５３ｃを介して吊下げ支持された布５３ｄとを備える。レール５３ａは施肥器２１よりも後方に延びている。摺動子５３ｃはレール５３ａ上を摺動する。布５３ｄは合成樹脂部材のシートによって構成されており、撥水性を有する。
【００６４】
摺動子５３ｃは下方に突出しており、摺動子５３ｃの下端部に布５３ｄは支持されている。布５３ｄの前端部はレール５３ａに固定されており、布５３ｄの他部は摺動子５３ｃを介し、レール５３ａに沿って前後方向に移動することができる。
【００６５】
操作者が布５３ｄの後端部を後方に引っ張った場合、布５３ｄは後方に延び、操作者は施肥器２１よりも後方まで伸ばすことができる。一方操作者が布５３ｄの後端部を前方に引っ張った場合、布５３ｄは折り畳まれながら、前方に縮む。すなわち、屋根５３は前後に伸縮する。またレール５３ａの後端部に着脱可能にブラインドカーテン６０が設けてある。
【００６６】
実施の形態５に係る田植機にあっては、布５３ｄを施肥器２１よりも後方まで延ばすことができ、雨天時に施肥器２１に肥料を補給する場合に、上方からの雨水の侵入を防ぐことができる。また不要な場合には布５３ｄを縮めて、上方に空間を確保し、走行機体１上における操作者の作業を行い易くすることができる。また不要な場合には、ブラインドカーテン６０を上昇させる（縮める）か又は取り外して、運転席１３の後方の視認性を良好にすることができる。
【００６７】
実施の形態５に係る田植機の構成の内、実施の形態１〜４と同様な構成については、同じ符号を付し、その詳細な説明を省略する。
【００６８】
（実施の形態６）
以下本発明を実施の形態６に係る田植機を示す図面に基づいて説明する。図７は田植機を略示する左側面図である。以下の説明では図７において矢印で示す上下及び前後を使用し、また図７の表側を左側とし、裏側を右側とする。
【００６９】
屋根５３の左右側面部それぞれにカーテン１００が設けてある。カーテン１００は、屋根５３の左右側面部に設けてあり、前後方向に延びたレール１０１と、該レール１０１に複数の摺動子１０２を介して吊下げられた布１０３とを備える。
【００７０】
摺動子１０２は下方に突出しており、摺動子１０２の下端部に布１０３は支持されている。布１０３の前端部はレール１０１に固定されており、布１０３の他部は摺動子１０２を介し、レール１０１に沿って前後方向に移動することができる。
【００７１】
操作者が布１０３の後端部を後方に引っ張った場合、布１０３は後方に延び、操作者は施肥器２１よりも後方まで伸ばすことができ、施肥器２１の左右側面を布１０３によって覆うことができる。一方操作者が布１０３の後端部を前方に引っ張った場合、布１０３は折り畳まれながら、前方に縮む。
【００７２】
車体フレーム２の前端部には透光性を有するフロントパネル１１０を着脱可能に立設してある。
【００７３】
実施の形態６に係る田植機にあっては、車体フレーム２の前端部に透光性を有するフロントパネル１１０を設け、施肥器２１への雨水の侵入をより確実に防ぐことができる。また走行機体１の左右にそれぞれカーテン１００を設けることによって、屋根５３、カーテン１００、フロントパネル１１０及びブラインドカーテン６０によってキャビンを形成することができる。キャビン内にエアコンディショナーを設置することによって、夏季及び冬季であっても、操作者にとって快適な環境を作り出すことができる。
【００７４】
実施の形態６に係る田植機の構成の内、実施の形態１〜５と同様な構成については、同じ符号を付し、その詳細な説明を省略する。
【００７５】
（実施の形態７）
以下本発明を実施の形態７に係る田植機を示す図面に基づいて説明する。図８は田植機を略示する左側面図である。以下の説明では図８において矢印で示す上下及び前後を使用し、また図８の表側を左側とし、裏側を右側とする。
【００７６】
走行機体１の運転席１３の付近に支柱１２０を立設してある。支柱１２０には、開閉可能な傘１２１が設けてある。操作者が傘１２１を開いた場合、傘１２１は施肥器２１の後側まで覆う。操作者は田植機に搭乗するか又は田植機から降りる場合に、支柱１２０を手すりとして使用することができる。
【００７７】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００７８】
１  走行機体（走行部）
２１  施肥器
３０  植付部
５０  支柱
５１  上側筒体
５２  下側筒体
５３  屋根
６０  ブラインドカーテン（カバー）
７０  ロールカーテン（カバー）
１００  カーテン（側面カバー）
１１０  フロントパネル（正面カバー）
【図１】
2015084760.tif 000003
【図２】
2015084760.tif 000004
【図３】
2015084760.tif 000005
【図４】
2015084760.tif 000006
【図５】
2015084760.tif 000007
【図６】
2015084760.tif 000008
【図７】
2015084760.tif 000009
【図８】
2015084760.tif 000010